(57)【要約】【課題】  筒の側面に成形された固定部により袋を固定することで、袋にゴミを入れても袋の底を押すことで袋を筒に固定したままゴミだけを捨てることが出来るため、袋を再利用できるゴミ入れを提供することである。【解決手段】  弾性体のシート５を丸めてなる筒２の側面に放射状に貫通された固定部４が複数成形され、筒２の中に袋１を入れて袋１の口の縁の持ち手６０やベロ６１を固定部４に筒２の外側から内側方向に押込み挟み込んで固定するゴミ入れ。【選択図】        図１
2019182654.tif 000002
【特許請求の範囲】
【請求項１】
袋を内部に収容するためのシートを丸めてなる筒と、
前記シートの両端部を合わせて固定して前記筒にする接合部と、
前記袋の口の縁を前記筒の外側から内側に押し込んで固定する前記筒の側面に成形された固定部と、
を備えることを特徴とした袋固定ゴミ入れ。
【請求項２】
底のある凹状ゴミ箱の内側の側面に沿って筒状に入る大きさに加工できるシートと、
前記シートの両端部を合わせて固定し前記凹状ゴミ箱の内側に入れる筒にする接合部と、
袋の口の縁を前記筒の外側から内側に押し込んで固定する前記筒の側面に成形された固定部と、
を備えることを特徴とした袋固定ゴミ入れ。
【請求項３】
袋を内部に収容するためのシートを丸めてなる筒と、
前記袋の口を固定する前記筒の側面に成形された固定部と、
を備えることを特徴とした袋固定ゴミ入れ。
【請求項４】
前記シートの材質は弾性体であることを特徴とした請求項１から請求項３のいずれか一項に記載の袋固定ゴミ入れ。
【請求項５】
前記固定部はＩの字状、Ｙの字状、Ｕの字状、十字状又は放射状の少なくともいずれか一つの形状で貫通していることを特徴とした請求項１から請求項３のいずれか一項に記載の袋固定ゴミ入れ。
【請求項６】
前記Ｉの字状、前記Ｙの字状、前記十字状又は前記放射状の中央部に貫通穴が開いていることを特徴とした請求項５に記載の袋固定ゴミ入れ。
【請求項７】
前記接合部は接着テープ、留め具、割ピン、ミニホック鋲、ホチキス針、又は、一方の前記シートの端部に穴を成形し、もう一方の前記シートの端部にフックを成形し前記穴に前記フックが係合する形状の少なくともいずれか一つで固定することを特徴とした請求項１又は請求項２に記載の袋固定ゴミ入れ。
【請求項８】
前記シートは少なくともテーパーにするための切込可能範囲の記載又はテーパー固定箇所のいずれか一方があることを特徴とした請求項２に記載の袋固定ゴミ入れ。
【請求項９】
前記固定部の数は三個以上であることを特徴とした請求項１から請求項３のいずれか一項に記載の袋固定ゴミ入れ。
【発明の詳細な説明】
【技術分野】
【０００１】
本発明は、袋を固定するゴミ入れに関するものである。
【背景技術】
【０００２】
従来、袋をゴミ入れの縁に綺麗に固定したいが、レジ袋など持ち手のある袋をゴミ入れの縁に固定すると持ち手がゴミ入れの縁から垂れ下がり見苦しかった。そこで筒型の固定具を用いてゴミ袋をゴミ箱の縁に綺麗に固定する固定具（例えば実用新案登録第３２０３５５９号公報）が提案されている。
図１８が従来例のゴミ箱であり、ゴミ袋１００、ゴミ箱２７、筒型の固定具となる筒具２８である。
筒具２８をゴミ箱２７に投入する、筒具２８はゴミ箱２７の深さと同程度であり外形はゴミ箱２７の外形よりもやや小さく隙間に指一本差し込める寸法である。ゴミ袋１００はその縁（口回り）を、ゴミ箱２７と筒具２８の間にできた隙間に押し込むことで固定される。
つまり、ゴミ袋１００の口部（縁）の固定を、これまでのゴミ箱２７の外側で行うのではなく、筒具２８とゴミ箱２７の間にできた隙間で固定するのでゴミ箱２７の縁に持ち手が垂れ下がらないのでゴミ袋１００は綺麗に固定することが出来る。
【先行技術文献】
【特許文献】
【０００３】
【特許文献１】実用新案登録第３２０３５５９号公報
【発明の概要】
【発明が解決しようとする課題】
【０００４】
しかし、上記記載した特許文献１ではゴミ箱２７からゴミ袋を捨てる時は、ゴミ箱２７からゴミ袋１００と筒具２８を同時に取り出した後、筒具２８からゴミ袋１００を取り出し、ゴミ袋１００の口部（縁）を結んで、大きな回収用ゴミ袋に入れる。次に新しいゴミ袋１００を装着する。装着時はゴミ袋１００を筒具２８内に取り付けた後、ゴミ箱２７に入れ、ゴミ袋１００の縁（口回り）をゴミ箱２７と筒具２８の間にできた隙間に押し込むことで、ゴミ袋１００が固定される。つまりゴミ袋１００の縁（口回り）を均一に押し込むことが必要になり、ゴミ箱２７の内部のゴミを捨てる時やゴミ箱２７に新しいゴミ袋１００を取り付ける時に手間がかかるという問題点があった。
本発明の目的は、かかる従来技術の課題を解決するためになされたものである。
【課題を解決するための手段】
【０００５】
上記目的を達成するため、本発明の一態様に係る袋固定ゴミ入れは、袋を内部に収容するためのシートを丸めてなる筒と、前記シートの両端部を合わせて固定して前記筒にする接合部と、前記袋の口の縁を前記筒の外側から内側に押し込んで固定する前記筒の側面に成形された固定部を備える。
さらに、本発明の他の態様に係る袋固定ゴミ入れは、底のある凹状ゴミ箱の内側の側面に沿って筒状に入る大きさに加工できるシートと、前記シートの両端部を合わせて固定し前記凹状ゴミ箱の内側に入れる筒にする接合部と、袋の口の縁を前記筒の外側から内側に押し込んで固定する前記筒の側面に成形された固定部を備える。
また、本発明の他の態様に係る袋固定ゴミ入れは、袋を内部に収容するためのシートを丸めてなる筒と、前記袋の口を固定する前記筒の側面に成形された固定部を備える。
【０００６】
さらに、上記態様において、前記シートの材質は弾性体であることが好ましい。
また、上記態様において、前記固定部はＩの字状、Ｙの字状、Ｕの字状、十字状又は放射状の少なくともいずれか一つの形状で貫通していることが好ましい。
さらに、上記態様において、前記Ｉの字状、前記Ｙの字状、前記十字状又は前記放射状の中央部に貫通穴が開いていることが好ましい。
また、上記態様において、前記接合部は接着テープ、留め具、割ピン、ミニホック鋲、ホチキス針、又は、一方の前記シートの端部に穴を成形し、もう一方の前記シートの端部にフックを成形し前記穴に前記フックが係合する形状の少なくともいずれか一つで固定することが好ましい。
さらに、上記態様において、前記シートは少なくともテーパーにするための切込可能範囲の記載又はテーパー固定箇所のいずれか一方があることがより好ましい。
また、上記態様において、前記固定部の数は三個以上であることが好ましい。
【発明の効果】
【０００７】
本願の発明によれば、袋内のゴミを簡単に取り出すことが出来、またゴミ入れに袋を簡単に装着することができるゴミ入れを提供することができる。
【図面の簡単な説明】
【０００８】
【図１】本発明の実施例１における筒に袋を入れる立体図
【図２】本発明の実施例１における筒に袋を固定した立体図
【図３】本発明の実施例２におけるシートから専用の筒を作る説明図
【図４】本発明の実施例２における専用の筒に袋を入れる立体図
【図５】本発明の実施例２における専用の筒に袋を固定した立体図
【図６】本発明の実施例２における凹状ゴミ入れ内に袋付専用の筒を入れる立体図
【図７】本発明の実施例２における凹状ゴミ入れ内に袋付専用の筒を入れた立体図
【図８】固定部の種類を記載した平面図
【図９】固定部の中央部に貫通穴を開けた変形例を記載した平面図
【図１０】本発明の実施例３における袋の持ち手固定用筒に袋を入れる立体図
【図１１】本発明の実施例３における袋の持ち手固定用筒に袋を固定した立体図
【図１２】本発明の実施例４における切込可能範付加工するシートの立体図
【図１３】本発明の実施例４における切込付専用の筒に袋を入れる立体図
【図１４】本発明の実施例４における切込付専用の筒をテーパー付凹状ゴミ入れに入    れた立体図
【図１５】本発明のごみの捨て方の立体図
【図１６】本発明の狭い隙間に入る使用例の立体図
【図１７】本発明の狭いスペースに複数設置できる使用例の上面図
【図１８】従来例のゴミ入れ
【図１９】本発明の実施例５におけるシートの端部に穴を成形し、もう一方のシート    の端部にフックを成形して係合する形状の接合部があるシートの立体図
【図２０】本発明の実施例５におけるシート端部に穴を成形し、もう一方の端部にフ    ックを成形して係合させる接合部の説明図
【図２１】本発明の実施例６における切込付専用の筒のテーパー固定箇所に目印があ    る図
【図２２】本発明の実施例６の変形例になる切込付専用の筒のテーパー固定箇所に穴    がある図
【発明を実施するための形態】
【０００９】
以下に図面を用いて本発明に係る実施の形態につき詳細に説明する。また、本発明はこれらの図面に限定されるものではない。さらに、図面に付した符号は、異なる図面においても同じ名称の部分には同じ符号を用いた。
【実施例１】
【００１０】
図１は本発明の実施例１における筒２に袋１を入れる立体図であり、図２は本発明の実施例１における筒２に袋１を固定した立体図であり、ゴミを入れる袋１、袋１の口の縁にある持ち手６０、袋１の口の縁にあるベロ６１、筒２、放射状に貫通した切り込みが入った複数の固定部４である。
もちろん筒２はシート５の両端部を合わせて固定して筒にする接合部があっても良い、接合部は留め具、プラスチック製のミニホック鋲、プラスチック鋲、スナップロック、セパロック、割ピン、留め金、ホチキスの針又は一方のシート５の端部に穴を成形し、もう一方のシート５端部にフックを成形し穴にフックが係合する形状にてシート５を筒２にしても良い、もちろん図示はしないがシート５の端部に穴やフック形状でなくても係合する形状であれば良い、例えば一方のシート５端部がフック形状でもう一方のシート５端部もフック形状でも係合することは言うまでもない。
【００１１】
また、図示はしないがシート５の両端部に接合部がなく両端部は固定されていないが、シート５がまるまることで円筒になる形状でも良い。この場合は固定部４に袋１の口の縁を固定することで、円筒形状が保持されるという効果がある。
また、袋１は持ち手のあるレジ袋、持ち手の無い袋、シート５でも良く、材質はプラスチック、布、紙でも良い。つまり固定部４でシート５の外周部を固定して筒２の中で凹状になれば良い、特に薄手のフィルムで出来ているレジ袋が最も適している。
さらに、図１の筒２の側面には打ち抜き加工でシート５に直接スリット形状に貫通させた固定部４が成形されている。
【００１２】
この固定部の形状は放射状のスリットが良く特に四方向からの切込を入れた角度４５度の放射形状のスリットが最も良い。
さらに四方向の切込の長さは３５ｍｍから５０ｍｍの範囲がシート５を固定しやすい。
また、シート５の固定の繰り返し試験も四方向の切込の長さは４０ｍｍの場合で耐久試験１０００回繰り返し固定しても外側に亀裂は入らなくシート５を固定することが出来た。
このように打ち抜き加工で加工することで他の部品を必要とせず、シート５に直接放射状のスリットを成形するだけでシート５を固定する固定部が成形できるのでコストダウンになるという効果がある。
ここで筒２に袋１を固定する方法を説明する。
はじめに、筒２に入る袋１を用意する。袋１の口の縁には持ち手６０とベロ６１があるレジ袋である。
【００１３】
袋１を図１の矢印の方向に移動させ筒２の中に入れる。その後は図２が示すように袋１の口の縁にある持ち手６０やベロ６１や袋の縁の部分を放射状に貫通された固定部４に筒２の外側から内側に押し込んで固定する。
このように外側から内側に押し込むので長い部分の持ち手６０やベロ６１なども筒２の中に押し込まれて固定部４に挟み込まれるため長い持ち手６０やベロ６１が筒２の外側から見えなくなり、筒２の上面と固定部４の間のみに均一な幅で袋１が収まるため外観が綺麗に見えるという効果がある。
【００１４】
また、固定部４の数は筒２の外周に均一な間隔で三箇所以上成形するのが良く、ゴミ２４を入れる場合に袋１の口が開きやすくなり、さらに図１５の（b）が示すようにゴミ２４を捨てる時も固定部４は三か所以上が良好である。固定部の数による使いやすさの検討の結果、袋１がレジ袋の場合で、持ち手６０の二箇所だけ固定部４を成形したテストでは図１５の（a）で袋１の底をつまんで押し方向２５に押し出すと袋１がよじれて手が筒２から飛び出してしまい、図１５の（b）が示すようにはならず、袋１からゴミ２４が出ないという結果になった。ゴミを捨てるためにも固定部４の数は三箇所以上成形することが良好であり、さらに固定部４は筒２の外周に均一な間隔で成形されるとより良好になる。
また、レジ袋は持ち手６０やベロ６１があり左右対称の形である。そのため、固定部も左右対称になる偶数個も良いので３個から４個、６個、８個、１０個、１２個が良く、特に良好な数は６個の固定部が装着しやすく外れにくいという結果になった。
ここで材質に関して説明する。筒２のシート５の材質は弾性体で永久変形や歪みが小さく、形状保持力に優れ復元性がある素材であり、例えばＮＲゴム、ＣＲ（ネオプレン）ゴム、ＥＰＤＭゴム、ＮＢＲゴム、シリコンゴム、フッ素ゴム、ＥＶＡ (エチレン・ビニール・アセテート)などの材料をゴムスポンジにした材質、特にＥＶＡスポンジシートなどが良い。
【００１５】
さらにクッションフロアなどビニール製のクッション性のあるシート状床材で、 裏打ち材に不織布やビニール層があり、中間に発泡層、表面に透明ビニールなどを張り合わせ外観も木目調、大理石調さらにタイル調の模様が入った材質は外観が美しくなるので、さらに良い。
筒２は弾性体で形状保持力に優れ復元性がある材質で作られているので、筒２の側面に放射状に貫通された切り込みを入れることで固定部４になる。固定部４に袋１の口や持ち手を押し込むことで、弾性体で形状保持力に優れ復元性がある材質により挟み込まれて引っかかり袋１の口や持ち手が固定される。
ここで、固定部４は筒２の上面の端部を含まない側面に成形されているので袋１の口を筒２の内部に押し込むことが出来るので、袋１の口が筒２の外側にはみ出ることがなく外見が綺麗になる。特にレジ袋など持ち手のある袋１は固定部４の中にレジ袋の持ち手を押し込むことが出来るので持ち手が筒２の外側に垂れ下がらないので見た目が綺麗になるという効果がある。
【００１６】
また、固定部４の上端部から筒２上面の端部までの長さは５ｍｍ〜５０ｍｍの範囲が良く、特にレジ袋の場合は持ち手などがあって綺麗に収まらないが、固定部４の上端部から筒２上面の端部までの長さを５ｍｍ〜２５ｍｍの範囲にすると綺麗にレジ袋を押し込むことが出来る。
ここで、固定部４を筒２の上面の端部の位置に切欠きやスリットとして成形してしまうと筒２の袋１の口やレジ袋の持ち手は筒２の外側に飛び出てしまうので見た目が悪くなるという問題があり、さらに図１５の押し方向２５に袋１を押し出すと袋１が簡単に外れてしまうという問題もある。
【００１７】
ここで、固定部４の形状に関して説明する。
図８の固定部４の種類を記載した平面図と図９の固定部４の中央部に貫通穴である固定部用貫通穴５８を開けた変形例を記載した平面図にて説明する。図８の(a)〜(g)が固定部４であり筒２の材質は弾性体で形状保持力に優れ復元性があるので筒２の材質に図８の(a)〜(g)の形状で貫通した切り込みを入れるだけで袋１を挟み込む固定部４になる。
つまり、貫通した隙間のない切込にすることで、袋１のフィルムを挟み込み強く固定できる。このことで、図１５の押し方向２５に袋１を押し出してゴミ２４を捨てることが可能になる。貫通した隙間のある形状にすると袋１のフィルムを挟むことが出来ないので図１５の押し方向２５に袋１を押し出すと袋１が外れてしまうという問題がある。
【００１８】
さらに、固定部４の中央部に固定部用貫通穴５８を開けた変形例である図９の(a)〜(c)は固定部４の中央部に固定部用貫通穴５８が開いていることで、固定部４の場所が判りやすい目印になる。切り込みを入れただけでは材質が形状保持力に優れ復元性があるため切り込み個所がどこにあるか判りにくい。しかし中央部に固定部用貫通穴５８があることで固定部４の中央位置が判るので袋１を固定しやすくなるという効果がある。
図９の(a)は円形の固定部用貫通穴５８で加工しやすいという効果がある。
図９の(b)はハート型の固定部用貫通穴５８でデザイン的にかわいいという効果がありダイヤ型や楕円型、星形などのデザインでも良い。
【００１９】
図９の(c)は八つに分かれた切り込み部の先端の鋭角部を丸いＲ形状にした固定部用貫通穴５８の形状である。
固定部４に袋１の口や持ち手を指で押し込む時に指が鋭角部で挟まれるより、切り込み部の先端の鋭角部を丸いＲ形状にすることで快適に固定できるという効果がある。
また、図１５は本発明のごみの捨て方の立体図であり、袋１、筒２、筒２の外周に複数ある固定部４、ゴミ２４、押し方向２５、指定収集袋のゴミ袋大２３、引き方向２６である。
図１５の（a）は袋１の中に入っているゴミ２４を市の指定収集袋のゴミ袋大２３に捨てる図であり、筒２のゴミ２４をゴミ袋大２３の袋に捨てるため筒２をゴミ袋大２３に移動させ、筒２に固定されている袋１の底を手で掴んで押し方向２５に押し出そうとしている。
次に図１５の（b）は袋１の底を押し方向２５に押し出して袋１の中に入っているゴミ２４を出してゴミ袋大２３に捨てている。袋１の口は固定部４で複数個所を固定されているので、押し方向２５に押し出しても、袋１は筒２から外れない。
【００２０】
このように袋１の底を押し方向２５に押し出すだけで容易にゴミ２４を捨てることが出来るという効果がある。
次に図１５の（c）は袋１の底を手で掴み、そのまま引き方向２６に移動させる袋１の口は固定部４で複数個所を固定されているので、引き方向２６に移動しても、袋１は筒２から外れないので筒２に袋１が容易に装着出来るという効果がある。
また、従来は袋１の口を縛り、袋１ごとゴミ袋大２３に捨てていたが、本願は袋１を再利用できるので、袋１を買う必要がなくなるためコストダウンが出来るという効果がある。
さらに袋１を再利用できるので袋１を捨てる必要がないためゴミの量が減り地球温暖化の原因となる二酸化炭素の排出量も少なくなり環境にも優しいという効果もある。
【００２１】
さらに、図１６の本発明の狭い隙間に入る使用例の立体図であり袋１、筒２、家具２９、ゴミ２４、固定部４である。
筒２の材質は弾性体で永久変形や歪みが小さく、形状保持力に優れ復元性がある素材であり、例えばＮＲゴム、ＣＲ（ネオプレン）ゴム、ＥＰＤＭゴム、ＮＢＲゴム、シリコンゴム、フッ素ゴム、ＥＶＡ (エチレン・ビニール・アセテート)などの材料をゴムスポンジにした材質、特にＥＶＡスポンジシートなどが良い。
さらにクッションフロアなどビニール製のクッション性のあるシート状床材で、 裏打ち材に不織布やビニール層があり、中間に発泡層、表面に透明ビニールなどを張り合わせ外観も木目調、大理石調さらにタイル調の模様が入った材質はさらに良い。
筒２は弾性体で形状保持力に優れ復元性がある材質で作られているので、家具２９の狭い隙間でも筒２が変形して入ることが出来るという効果がある。例えば自動車の中、三面鏡の隙間などに差し込むことも出来るので、ゴミ入れを手元の近くに置くことが出来て便利である。
【００２２】
さらに、図１７の本発明の狭いスペースに複数設置できる使用例の上面図であり、ゴミ入れを置くスペース３０、ゴミの分別のために筒２を三色に色分けした赤色筒３１、青色筒３２、黄色筒３３でありそれぞれの色の違いでゴミの分別を行う、もちろん柄を変えて柄の違いでゴミの分別を行っても良い。
図１７の(a)はゴミ入れを置くスペース３０に赤色筒３１が一つ置かれている。
スペース３０は狭いので従来の底のある凹状ゴミ入れでは、このスペースに赤色筒３１と同じ大きさで複数の分別用ゴミ入れを置くことは困難である。
しかし、本願の各筒の材質は弾性体で永久変形や歪みが小さく、形状保持力に優れ復元性がある素材であるので、ゴミ入れを置くスペース３０が狭くても図１７の(b)のように赤色筒３１、青色筒３２、黄色筒３３が互いに変形することでゴミ入れを置くスペース３０内に三つの赤色筒３１、青色筒３２、黄色筒３３を置くことが出来るので、狭いスペースでも有効活用が可能という効果がある。図示はしないが持ち手固定用筒１７も筒２と同様の効果がある。
ここで、図示しないがレジ袋の取り付方法でレジ袋の１つの持ち手を筒２の内側の固定部４から外側に出し、他の縁は筒２の外側の固定部４のから内側に押し込むことで、持ち手を作ることが出来るので持ち易くなり、フックなどに吊るして使う使い方も出来る。
【実施例２】
【００２３】
図３は本発明の実施例２における加工用するシート５から専用の筒２を作る説明図であり図４は本発明の実施例２における専用の筒２に袋１を入れる立体図、図５は本発明の実施例２における専用の筒２に袋１を固定した立体図、図６は本発明の実施例２における凹状ゴミ入れ内に袋１が固定された専用の筒２を入れる立体図、図７は本発明の実施例２における凹状ゴミ入れ内に袋１が固定された専用の筒２を入れた立体図である。
各図番は持ち手のあるレジ袋や持ち手のないビニール袋などの袋１、放射状に六等分された固定部４、すでに購入して自宅にある底のある凹状ゴミ入れの内側に入るように専用に合わせて作った専用の筒２、専用の筒２を作るための加工するシート５、接合するために必要な重ね合わせ長さ６、凹状ゴミ箱１３の内径に入る寸法７、凹状ゴミ箱１３の深さに入る寸法８、凹状ゴミ箱１３の内径に入る寸法の切取位置９、凹状ゴミ箱１３の深さに入る寸法の切取位置１０、凹状ゴミ箱１３に入る長さにカットした後に丸める方向１１、円筒形状で底のあるゴミ箱の凹状ゴミ箱１３、留め具用貫通穴１９、留め具２０、ホチキス針２１である。
【００２４】
従来は凹状ゴミ箱１３に袋１を直接被せると凹状ゴミ箱１３の縁に袋１の持ち手などが垂れ下がるため見た目が悪い、しかし凹状ゴミ箱１３に袋１を装着しないと凹状ゴミ入れ１３が汚れてしまうという問題があった。
特に自分だけが使用するならゴミ箱の縁に袋１の持ち手などが出て見た目が悪く、生活感があっても問題はないが、ビジネスを行う場所で高額なゴミ入れを使用する高級感のある待合室やセラピールームには見た目が悪いゴミ入れは適さないとうい問題があった。
そこで、既に購入したゴミ入れでも袋１の持ち手などが垂れ下がらず、見た目が良くなる様にゴミ入れに合わせた専用の筒を作ることが出来る組み立てキットを実施例２に記載する。
実施例２は既に購入した底のある凹状ゴミ箱１３の内側に入るように、加工するシート５と留め具２０を使い、凹状ゴミ箱１３寸法を測定しカットすることで、円筒形状の凹状ゴミ箱１３の内側に入る専用の筒２を作る組み立てキットを提供するものである。
【００２５】
図６は凹状ゴミ箱１３と袋１が付いた専用の筒２であり、図７は凹状ゴミ箱１３の内側に袋１が付いた専用の筒２を入れた図である。図７が示すように、凹状ゴミ箱１３の縁には袋１が被らないので、見た目が綺麗という効果がある。さらにゴミを捨てるときは図１５のごみの捨て方の立体図が示すように、ゴミ２４を捨てるときは凹状ゴミ箱１３に中にある筒２（番号は図示していないが、ここでは筒２と専用の筒２は同様として説明する）のみを取り出してゴミを捨てるので、底の部分がないぶん専用の筒２は軽いので持ち運びやすいという効果もある。
【００２６】
ここで、図３の加工するシート５から専用の筒を作る説明図にて説明する。
まず図３の(a)の加工するシート５のカット寸法について説明する。
加工するシート５と留め具２０とホチキスとハサミと目打ちと接着テープと定規を用意する。
凹状ゴミ箱１３の口の内径の直径Ｌｃｍを測る。次に専用の筒２と凹状ゴミ箱１３の隙間を２ｃｍあけるのでＬｃｍ-２ｃｍとして専用の筒２の外周Ｍｃｍを計算します。
Ｍ＝π（Ｌ-２）
このＭｃｍが凹状ゴミ箱１３の内径に入る寸法７になる。
次に接合部を留め具２０やホチキス針２１で固定するので固定するために必要な重ね合わせ長さ６は１ｃｍに設定する。
以上より、固定するために必要な重ね合わせ長さ６に凹状ゴミ箱１３の内径に入る寸法７を足した長さが切取位置９となりこの位置で加工するシート５をカットする。
【００２７】
次に凹状ゴミ箱１３の深さＮｃｍを測り専用の筒２が凹状ゴミ箱１３より１ｃｍ低くして袋１が見えないようにするので
専用の筒２の高さＰｃｍは
Ｐ＝Ｎ-1
このＰｃｍが凹状ゴミ箱１３の深さに入る寸法８になるので、凹状ゴミ箱１３の深さに入る寸法の切取位置１０でカットする。
次に図３の(b)はカットされた加工用するシート５を丸める図であり、凹状ゴミ箱１３に入る長さにカットした後に丸める方向１１があり、留め具２０を差し込むための留め具用貫通穴１９が上になるようにカットされた加工用するシート５を丸める。
次に図３の(c)は接合部となる箇所に留め具２０で固定する図であり、重ね合わせ長さ６を１ｃｍになるようにしてから重ね合わせ長さ６の両端をホチキス針２１で固定する。このことで、重ね合わせ長さ６が仮固定される。
次に留め具用貫通穴１９に目打ちを押し込んで留め具用貫通穴１９を開ける。既にホチキス針２１で仮固定しているので、目打ちを押し込むときに重ね合わせ長さ６の寸法がずれにくいとうい効果がある。次に留め具２０を留め具用貫通穴１９に入れた後、留め具２０で固定する。留め具２０が割ピンの場合は割ピンの足を広げる。
【００２８】
図示しないが、割ピンの足の先端部分が尖っているので袋１を破かないように、専用の筒２の内側から割ピンの足の部分に接着テープを張り付けて尖っている足をカバーして固定する。これで専用の筒２が完成する。
また、留め具２０がミニホック鋲の場合は雄のミニホック鋲を留め具用貫通穴１９に入れた後、雌のミニホック鋲を嵌合させて固定する。これで専用の筒２が完成する。
さらに、留め具２０はプラスチック製のミニホック鋲、プラスチック鋲、スナップロック、セパロック、割ピン、留め金、ホチキスの針などが良い。
特にプラスチック鋲のセパロックは雄と雌があり、はめ込むと取れにくい構造になっているので良好である。
もちろん、物作りに慣れていて自分の好きな位置に留め具２０を取り付けたい人は留め具用貫通穴１９やホチキスを使用しなくても留め具２０を入れる穴を開ける道具を使用して穴を開け専用の筒２を完成すことが出来る。
【００２９】
図４は本発明の実施例２における専用の筒２に袋１を入れる立体図であり、図５は本発明の実施例２における専用の筒２に袋１を固定した立体図であり、ゴミを入れる袋１、専用の筒２、放射状に六つに分かれて貫通した切り込みが入った固定部４である。
はじめに、専用の筒２に入る袋１を用意する。袋１はスーパーのレジ袋などでも良い。
袋１を矢印の方向に移動させ専用の筒２の中に入れる。その後は図５が示すように袋１の口や持ち手を放射状に六つに分かれて貫通した切り込みが入った固定部４に押し込むことで袋１の口が複数の固定部４に挟み込まれる。
専用の筒２の材質は弾性体で永久変形や歪みが小さく、形状保持力に優れ復元性がある素材であり、例えばＮＲゴム、ＣＲ（ネオプレン）ゴム、ＥＰＤＭゴム、ＮＢＲゴム、シリコンゴム、フッ素ゴム、ＥＶＡ (エチレン・ビニール・アセテート)などの材料をゴムスポンジにした材質、特にＥＶＡスポンジシートなどが良い。
さらにクッションフロアなどビニール製のクッション性のあるシート状床材で、 裏打ち材に不織布やビニール層があり、中間に発泡層、表面に透明ビニールなどを張り合わせ外観も木目調、大理石調さらにタイル調の模様が入った材質は外観が美しくなるのでさらに良い。
【００３０】
専用の筒２は弾性体で形状保持力に優れ復元性がある材質で作られているので、専用の筒２の側面に放射状に貫通された切り込みの固定部４に袋１の口を押し込むと縁の一部が固定部４に挟み込まれて引っかかることで、袋１の口が固定される。
特にレジ袋など持ち手のある袋１は固定部４の中にレジ袋の持ち手を押し込むことが出来るので持ち手が専用の筒２の外側に垂れ下がらないので見た目が良いという効果がある。
ここで、固定部４の形状に関しては、図８の固定部４の種類を記載した平面図と図９の固定部４の中央に穴を開けた変形例を記載した平面図にて説明する。図８の(a)〜(g)が固定部４であり専用の筒２の材質は弾性体で形状保持力に優れ復元性があるので専用の筒２の材質に図８の(a)〜(g)の形状で貫通した切り込みを入れるだけで袋１を挟み込む固定部４になる。さらに、固定部４の中央部に固定部用貫通穴５８を開けた変形例である図９の(a)〜(c)は固定部４の中央部に固定部用貫通穴５８が開いていることで、固定部４の場所が判りやすい目印になる。切り込みを入れただけでは材質が形状保持力に優れ復元性があると切り込み個所がどこにあるか判りにくい。しかし中央部に固定部用貫通穴５８があれば固定部４の中央位置が判るので袋１を固定しやすくなるという効果がある。
【００３１】
さらに、図９の(a)は円形の固定部用貫通穴５８で加工しやすいという効果がある。
また、図９の(b)はハート型の固定部用貫通穴５８でデザイン的にかわいいという効果がありダイヤ型や楕円型、星形などのデザインでも良い。
さらに、図９の(c)は八つに分かれた切り込み部の先端の鋭角部を丸いＲ形状にした固定部用貫通穴５８の形状である。
固定部４に袋１の口や持ち手を指で押し込む時に指が鋭角部で挟まれるより、切り込み部の先端の鋭角部を丸いＲ形状にすることで快適に固定できるという効果がある。
もちろん、専用の筒２の番号は記載していないが、筒２と同様に専用の筒２も図１５の本発明のごみの捨て方の立体図、図１６の本発明の狭い隙間に入る使用例の立体図で記載した効果もあることは言うまでもない。
また、底のある凹状ゴミ箱１３と専用筒をセットとして製造しても良いことは言うまでもない。
【実施例３】
【００３２】
図１０は本発明の実施例３における袋の持ち手固定用の筒２に袋１を入れる立体図、図１１は本発明の実施例３における袋の持ち手固定用の筒２に袋１を装着した立体図であり、袋１と袋の持ち手固定用の筒２、Ｕの字状固定部１８である。図１０の(a)と(b)は袋1を矢印の方向に移動させ、袋の持ち手固定用の筒２に入れる図であり、図１１は袋の持ち手固定用の筒２に袋１を装着した図である。袋１であるレジ袋には持ち手があり、この持ち手を二箇所と袋１のベロ６１の二箇所計四箇所を固定できるように袋の持ち手固定用の筒２外周にＵの字状固定部１８が成形されている。
また袋の大きさにより持ち手の長さも変わるため、Ｕの字状固定部１８は袋の持ち手固定用の筒２の高さ方向にも配置されている。
もちろん、袋の持ち手固定用の筒２も図１５の本発明のごみの捨て方の立体図、図１６の本発明の狭い隙間に入る使用例の立体図、図１７本発明の狭いスペースに複数設置できる使用例の上面図で記載した効果もある。
また、底のある凹状ゴミ箱１３と袋の持ち手固定用の筒２をセットとして製造しても良いことは言うまでもない。
【実施例４】
【００３３】
図１２は本発明の実施例４における切込み可能範囲が記載されているシート５の立体図、図１３は本発明の実施例４における切込付専用の筒２に袋１を入れる立体図、図１４は本発明の実施例４における切込付専用の筒２をゴミ入れに入れた立体図である。
袋１、固定部４、重ね合わせ長さ６、凹状ゴミ入れの内径に入る寸法７、凹状ゴミ入れの深さに入る寸法８、凹状ゴミ入れの内径に入る寸法の切取位置９、凹状ゴミ入れの深さに入る寸法の切取位置１０、切込可能範囲１４、テーパー付凹状ゴミ入れ１６、留め具用貫通穴１９、留め具２０、ホチキス針２１、切込み可能範囲が記載されているシート５である。
【００３４】
底のある市販のゴミ入れには、上面の面積の方が底面の面積より広いテーパー付凹状ゴミ入れ１６がある。このテーパー付凹状ゴミ箱１６の中に筒状の専用の筒２を入れても上面の面積の方が底面の面積より広いので専用の筒２は途中までしか入らないという問題があった。そこで図１４(a)が示すように専用筒の高さ方向に複数の切込みを入れた切込付専用の筒２にすることでテーパー付凹状ゴミ箱１６は図１４(b)のように入ることが出来る。
実施例４では切込付専用の筒２を作るための説明をする。
図１２の切込み可能範囲が記載されているシート５は図３(a)の加工するシート５に切込可能範囲１４があらかじめ記載されていることのみが異なり他は同じであるので、異なる部分のみ記載する。
図１２では切込可能範囲１４は筒状に組み立てた時に円周方向に一定の間隔で複数ある固定部４の中間位置に記載されている。
【００３５】
これは一定の間隔で複数ある固定部４と同じ位置に切込みを入れると固定部４の切込位置と切込を入れた位置が同一の高さ方向に位置してしまうため、切込付専用の筒２の強度が弱く変形しやすくなり切込付専用の筒２が安定して立たないという問題があった。
このことを避けるために、一定の間隔で複数ある固定部４の中間位置に切込みを行うように切込範囲をあらかじめ指定した切込可能範囲１４を記載することで、切込みを入れても切込付専用の筒２が変形しにくく安定して立つという効果がある。
さらに切込可能範囲１４は底面方向のカット範囲は大きく、上面方向のカット範囲は小さくするように三角形の範囲にすることで、テーパー付凹状ゴミ箱１６に切込付専用の筒２の切込だけを入れたときに、切込付専用の筒２の切込を入れた個所はテーパーがあることで狭くなっても隣接する部分が接触しないのでスムーズに入れやすくなるという効果もある。
【実施例５】
【００３６】
図１９は本発明の実施例５におけるシート５の端部に穴を成形し、もう一方のシート５の端部にフックを成形して係合する形状となる接合部があるシート５の立体図であり、図１９の（a）は係合前のシート５の立体図。図１９の（b）は係合後の筒状になった立体図を示す。
さらに、図２０は本発明の実施例５におけるシート５の端部に穴を成形し、もう一方のシート５の端部にフックを成形して係合させる接合部の係合方法の説明図であり、筒２、固定部４、係合用穴５０、係合用フック５１、折り曲げ方向５２、押込み方向５３、元に戻す方向５４である。
図１９は筒２とするための接合部を有するシート５であり、シート５を打ち抜き加工することで接合部を成形する形状を示している。このため留め具２０などを使用せずシート５の打ち抜き加工の形状のみで接合部が成形できるのでコストダウンになる。
一方のシート５の端部周辺にはIの字状に貫通した穴がある。
このＩの字状の係合用穴５０の両サイドには貫通した半円形状のスリットが成形されている。
【００３７】
この半円状のスリットがあることでスリットを押し広げる時に両端部の応力が分散され亀裂が入りにくくなるという効果がある。
また、もう一方の端部周辺には係合させるためにフック形状にした係合用フック５１が成形されている。この係合用フック５１は両サイドに羽５７がある形状であり、この羽５７の下面側にも半円形状のスリットが成形されている。この半円状のスリットがあることで羽５７を折り曲げても羽の付け根の応力が分散され亀裂が入りにくくなるという効果がある。この係合用穴５０と係合用フック５１を係合させる説明を図２０にて行う。
【００３８】
図２０（a）は係合用穴５０と係合用フック５１の拡大図である。
係合させる手順として、はじめに図２０（b）係合用フック５１の羽５７を折り畳むように折り曲げ方向５２が示す図面の下側に折り曲げて係合用穴５０に挿入しやすいようにする。その後に押込み方向５３方向に移動させる。 図２０（c）は係合用フック５１を係合用穴５０に挿入した後、係合用フック５１の羽５７を元に戻す方向５４に羽５７を広げる。このようにすることで係合用穴５０と係合用フック５１は係合される、図１９では４カ所の係合用穴５０と係合用フック５１を係合させることで図１９の（b）が示すように係合後の筒状形状になる。
【実施例６】
【００３９】
図２１は本発明の実施例６におけるテーパーを固定するシート５のテーパー固定箇所に目印がある図であり、図２１（a）はシート５の裏面の無地にテーパー固定箇所の目印５５と切込み部３が印刷されている。切込み部３に沿って直線に切込みを入れる。その後テーパーが付いたゴミ箱であるテーパー付凹状ゴミ箱１６の内面に入る用にテーパーを固定するシート５のテーパーの形状を合わせた後、裏面にテーパー固定箇所の目印５５があるのでその位置に合わせ切込付専用の筒２の外側からホチキス針２１で固定することでテーパー部が固定される。
図２１（b）のようにテーパー固定箇所の目印５５にホチキス針２１によりテーパー状に固定される。
図２１（c）は切込付専用の筒２に袋１を固定部４にて固定した後、テーパー付凹状ゴミ箱１６内に入れた立体図である。
このようにテーパーが付いたゴミ箱であるテーパー付凹状ゴミ箱１６に合わせて切込付専用の筒２を作ることで袋１が外側から見えなくなり、外見が良いゴミ箱として使える。
【００４０】
図２２は本発明の実施例６の変形例である。テーパーを固定するシート５には複数の貫通したテーパー固定箇所の穴５６がある。
図２２（a）はシート５の裏面の無地に切込み部３が印刷されている。切込み部３に沿っ
て直線に切込みを入れる。その後テーパーが付いたゴミ箱であるテーパー付凹状ゴミ箱１６の内面に入る用にテーパーを固定するシート５を入れてテーパー固定箇所の穴５６を合わせてテーパー形状になった位置に穴を合わせ留め具２０によりテーパー状に固定される。
図２１（c）は切込付専用の筒２に袋１を固定部４にて固定した後、テーパー付凹状ゴミ箱１６内に入れた立体図である。
このようにテーパーが付いたゴミ箱であるテーパー付凹状ゴミ箱１６に合わせて切込付専用の筒２を作ることで袋１が外側から見えなくなり、外見が良いゴミ箱として使える。
【符号の説明】
【００４１】
袋１、筒２、切込み部３、固定部４、シート５、重ね合わせ長さ６、凹状ゴミ箱の内径に入る寸法７、凹状ゴミ箱の深さに入る寸法８、凹状ゴミ箱の内径に入る寸法の切取位置９、凹状ゴミ箱の深さに入る寸法の切取位置１０、凹状ゴミ箱に入る長さにカットした後に丸める方向１１、凹状ゴミ箱１３、切込可能範囲１４、テーパー付凹状ゴミ箱１６、Ｕの字状固定部１８、留め具用貫通穴１９、留め具２０、ホチキス針２１、ゴミ袋大２３、ゴミ２４、押し方向２５、引き方向２６、ゴミ箱２７、筒具２８、家具２９、ゴミ入れを置くスペース３０、赤色筒３１、青色筒３２、黄色筒３３、係合用穴５０、係合用フック５１、折り曲げ方向５２、押込み方向５３、元に戻す方向５４、テーパー固定箇所の目印５５、テーパー固定箇所の穴５６、羽５７、固定部用貫通穴５８、持ち手６０、ベロ６１、ゴミ袋１００
【図１】
2019182654.tif 000003
【図２】
2019182654.tif 000004
【図３】
2019182654.tif 000005
【図４】
2019182654.tif 000006
【図５】
2019182654.tif 000007
【図６】
2019182654.tif 000008
【図７】
2019182654.tif 000009
【図８】
2019182654.tif 000010
【図９】
2019182654.tif 000011
【図１０】
2019182654.tif 000012
【図１１】
2019182654.tif 000013
【図１２】
2019182654.tif 000014
【図１３】
2019182654.tif 000015
【図１４】
2019182654.tif 000016
【図１５】
2019182654.tif 000017
【図１６】
2019182654.tif 000018
【図１７】
2019182654.tif 000019
【図１８】
2019182654.tif 000020
【図１９】
2019182654.tif 000021
【図２０】
2019182654.tif 000022
【図２１】
2019182654.tif 000023
【図２２】
2019182654.tif 000024
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
袋を内部に収容するための弾性体のシートを丸めてなる筒と、
前記シートの両端部の一方の端部に成形された穴に、もう一方の端部に成形されたフックが係合する形状を合わせて固定して前記筒にする接合部と、
前記袋の口の縁を前記筒の外側から内側に押し込んで固定する前記筒の外周に均一な間隔で三箇所以上成形された固定部と、
前記シートに前記接合部と前記固定部が打ち抜かれて成形されていることを特徴とした袋固定ゴミ入れ。
【請求項２】
底のある凹状ゴミ箱の内側の側面に沿って筒状に入る大きさに加工できる弾性体のシートと、
前記シートの両端部の一方の端部に成形された穴に、もう一方の端部に成形されたフックが係合する形状を合わせて固定し前記凹状ゴミ箱の内側に入れる筒にする接合部と、
袋の口の縁を前記筒の外側から内側に押し込んで固定する前記筒の外周に均一な間隔で三箇所以上成形された固定部と、
前記シートに前記接合部と前記固定部が打ち抜かれて成形されていることを特徴とした袋固定ゴミ入れ。
【請求項３】
前記フックには羽があり前記羽を折り畳み前記穴に前記フックを挿入後に前記羽を広げることで係合することを特徴とした請求項１又は２に記載の袋固定ゴミ入れ。
【請求項４】
前記羽の下面側には半円状のスリットがあることを特徴とした請求項３に記載の袋固定ゴミ入れ。
【請求項５】
前記固定部は、Ｙの字状、Ｕの字状、十字状又は放射状の少なくともいずれか一つの形状で貫通していることを特徴とした請求項１又は請求項２に記載の袋固定ゴミ入れ。
【請求項６】
前記Ｙの字状、前記十字状又は前記放射状の中央部に貫通穴が開いていることを特徴とした請求項５に記載の袋固定ゴミ入れ。
【請求項７】
前記シートは少なくともテーパーにするための切込可能範囲の記載又はテーパー固定箇所のいずれか一方があることを特徴とした請求項２に記載の袋固定ゴミ入れ。
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
袋を内部に収容するための弾性体のシートを丸めてなる筒と、
前記シートの両端部の一方の端部に成形されたスリットに、もう一方の端部に成形されたフックが係合する形状を合わせて固定して前記筒にする接合部と、
前記袋の口の縁を前記筒の外側から内側に押し込んで固定する前記筒の外周に均一な間隔で三箇所以上成形された固定部と、
前記シートに前記接合部と前記固定部が打ち抜かれて成形されていることを特徴とした袋固定ゴミ入れ。
【請求項２】
底のある凹状ゴミ箱の内側の側面に沿って筒状に入る大きさに加工できる弾性体のシートと、
前記シートの両端部の一方の端部に成形されたスリットに、もう一方の端部に成形されたフックが係合する形状を合わせて固定し前記凹状ゴミ箱の内側に入れる筒にする接合部と、
袋の口の縁を前記筒の外側から内側に押し込んで固定する前記筒の外周に均一な間隔で三箇所以上成形された固定部と、
前記シートに前記接合部と前記固定部が打ち抜かれて成形されていることを特徴とした袋固定ゴミ入れ。
【請求項３】
前記フックには羽があり前記羽を折り畳み前記スリットに前記フックを挿入後に前記羽を広げることで係合することを特徴とした請求項１又は２に記載の袋固定ゴミ入れ。
【請求項４】
前記フックの押込み方向を上側とし前記フックの下側の端部には半円状のスリットがあり、前記半円状のスリットの頂点が前記フックの内側を向いていることを特徴とした請求項３に記載の袋固定ゴミ入れ。
【請求項５】
前記固定部は、Ｙの字状、Ｕの字状、十字状又は放射状の少なくともいずれか一つの形状で貫通していることを特徴とした請求項１又は請求項２に記載の袋固定ゴミ入れ。
【請求項６】
前記Ｙの字状、前記十字状又は前記放射状の中央部に貫通穴が開いていることを特徴とした請求項５に記載の袋固定ゴミ入れ。
【請求項７】
前記シートは少なくともテーパーにするための切込可能範囲の記載又はテーパー固定箇所のいずれか一方があることを特徴とした請求項２に記載の袋固定ゴミ入れ。